(57)【特許請求の範囲】
【請求項１】
栽培用光源が備えられた植物栽培用の第１室と、同じく栽培用光源が備えられた植物栽培用の第２室と、第１室の空気を第２室に送るファンと、第２室の空気を第１室に送るファンと、制御部とが備えられ、
前記制御部は、
栽培用光源が点灯した明期と、栽培用光源が消灯した暗期とを、第１室と第２室のうちの一方の室が明期のとき、もう一方の室が暗期となるよう、各室において交互に繰り返す制御を、各室の光源に対して行う光源制御と、
第１室が明期、第２室が暗期であるとき、第２室の空気が第１室に送り込まれ、第１室が暗期、第２室が明期であるとき、第１室の空気が第２室に送り込まれるよう、前記ファンの駆動を制御するファン制御と
を行うようになされており、
暗期の室から明期の室への前記ファンによる空気の送込み作用によって、明期の室が正圧となるように構成されていることを特徴とする植物栽培システム。
【請求項２】
前記第１，第２の各室にエアコンが設けられ、
前記制御部は、明期の室の室温が暗期の室の室温よりも高くなるよう、各エアコンの運転を制御するエアコン制御を行うようになされている請求項１に記載の植物栽培システム。
【請求項３】
第１，第２の各室に二酸化炭素を供給する二酸化炭素供給源が備えられ、
前記制御部は、明期の室に対して、二酸化炭素供給源から二酸化炭素が供給され、暗期の室に対して、二酸化炭素供給源からの二酸化炭素の供給が停止状態にされるよう、二酸化炭素供給源からの二酸化炭素の供給を制御する二酸化炭素供給制御を行うようになされている請求項１又は２に記載の植物栽培システム。
【請求項４】
第１，第２の各室に、二酸化炭素濃度を検知するセンサーが備えられ、
前記制御部は、明期の室における該センサーからの検知信号に基づいて、二酸化炭素濃度が設定濃度以下よりも低いとき、二酸化炭素供給源に、明期の室に対して二酸化炭素の供給を行わせ、二酸化炭素濃度が設定濃度以上であるとき、二酸化炭素供給源に、明期の室に対する二酸化炭素の供給を停止させる制御を行うようになされている請求項３に記載の植物栽培システム。
【発明の詳細な説明】
【技術分野】
【０００１】
本発明は、植物工場などにおいて用いられる植物栽培システムに関する。
【背景技術】
【０００２】
例えば植物工場では、栽培用の室に光源を設け、該室において、光源が点灯した明期と、光源が消灯した暗期とを、交互に繰り返していくことで、植物を生育させていくことが行われている。
【先行技術文献】
【特許文献】
【０００３】
【特許文献１】特開２０００−９３０１０号公報
【発明の概要】
【発明が解決しようとする課題】
【０００４】
しかしながら、上記のような方法では、植物の行う呼吸と光合成とによって、暗期に、局所的に二酸化炭素の濃度が上昇しすぎたり、明期に、局所的に二酸化炭素の濃度が低下しすぎたりして、植物の生育に悪影響を及ぼすことがある。
【０００５】
本発明は、このような問題に鑑み、暗期の二酸化炭素濃度の上昇を抑制することができると共に、明期の二酸化炭素濃度の低下を抑制することができて、植物の生育を良好なものにすることができ、しかも、それを、無駄のない合理的な構成によって実現することができる植物栽培システムを提供することを課題とする。
【課題を解決するための手段】
【０００６】
上記の課題は、栽培用光源が備えられた植物栽培用の第１室と、同じく栽培用光源が備えられた植物栽培用の第２室と、第１室の空気を第２室に送るファンと、第２室の空気を第１室に送るファンと、制御部とが備えられ、
前記制御部は、
栽培用光源が点灯した明期と、栽培用光源が消灯した暗期とを、第１室と第２室のうちの一方の室が明期のとき、もう一方の室が暗期となるよう、各室において交互に繰り返す制御を、各室の光源に対して行う光源制御と、
第１室が明期、第２室が暗期であるとき、第２室の空気が第１室に送り込まれ、第１室が暗期、第２室が明期であるとき、第１室の空気が第２室に送り込まれるよう、前記ファンの駆動を制御するファン制御と
を行うようになされていることを特徴とする植物栽培システムによって解決される（第１発明）。
【０００７】
このシステムでは、暗期の室の二酸化炭素濃度の高い空気が、明期の室に送り込まれるようファンの制御が行われる構成となっているから、それにより、暗期の室の二酸化炭素濃度の上昇が抑制されると共に、明期の室の二酸化炭素濃度の低下が抑制されて、第１，第２の各室における植物の生育をいずれも良好なものにすることができる。
【０００８】
しかも、明期の室での二酸化炭素濃度の低下を、二酸化炭素濃度を上昇させようとする暗期の室の空気を明期の室に送り込むことで抑制し、この送込みによって暗期の室での二酸化炭素濃度の上昇を抑制する構成となっているので、無駄のない合理的な構成によって、植物の生育を良好なものにすることができる。
【０００９】
第１発明において、暗期の室から明期の室への前記ファンによる空気の送込み作用によって、明期の室が正圧となるように構成されている場合は（第２発明）、明期の室をクリーンな状態に保ちやすくすることができる。
【００１０】
第１，第２発明において、前記第１，第２の各室にエアコンが設けられ、
前記制御部は、明期の室の室温が暗期の室の室温よりも高くなるよう、各エアコンの運転を制御するエアコン制御を行うようになされているとよい（第３発明）。
【００１１】
この場合は、ファンにより、暗期の室の二酸化炭素が明期の室に送り込まれるのと併せて、暗期の室の冷気も明期の室に送り込まれて、明期の室における温度上昇と湿度低下を抑制して明期の室における植物の光合成の速度を向上することができ、また、暗期の室における湿度上昇を抑えることができる。
【００１２】
第１〜第３発明において、第１，第２の各室に二酸化炭素を供給する二酸化炭素供給源が備えられ、
前記制御部は、明期の室に対して、二酸化炭素供給源から二酸化炭素が供給され、暗期の室に対して、二酸化炭素供給源からの二酸化炭素の供給が停止状態にされるよう、二酸化炭素供給源からの二酸化炭素の供給を制御する二酸化炭素供給制御を行うようになされているとよい（第４発明）。
【００１３】
この場合は、暗期の室の二酸化炭素濃度の高い空気が、明期の室に送り込まれるようファンの制御が行われる構成となっていることとの組み合わせで、二酸化炭素供給源からの二酸化炭素の供給を少なくすることができる。
【００１４】
第４発明において、第１，第２の各室に、二酸化炭素濃度を検知するセンサーが備えられ、
前記制御部は、明期の室における該センサーからの検知信号に基づいて、二酸化炭素濃度が設定濃度以下よりも低いとき、二酸化炭素供給源に、明期の室に対して二酸化炭素の供給を行わせ、二酸化炭素濃度が設定濃度以上であるとき、二酸化炭素供給源に、明期の室に対する二酸化炭素の供給を停止させる制御を行うようになされているとよい（第５発明）。
【００１５】
この場合は、制御部によるこのような制御によって、二酸化炭素供給源からの二酸化炭素の供給を、自動で、実際に、少なくすることができる。
【発明の効果】
【００１６】
本発明は、以上のとおりのものであるから、暗期の二酸化炭素濃度の上昇を抑制することができると共に、明期の二酸化炭素濃度の低下を抑制することができて、植物の生育を良好なものにすることができ、しかも、それを、無駄のない合理的な構成によって実現することができる。
【図面の簡単な説明】
【００１７】
【図１】図（イ）は実施形態の植物栽培システムを示す説明平面図、図（ロ）は各室における明期と暗期の切換えの態様を示す表図である。
【図２】図（イ）及び図（ロ）はそれぞれ、制御によるシステムの作動状態を示す平面図である。
【発明を実施するための形態】
【００１８】
次に、本発明の実施形態を図面に基づいて説明する。
【００１９】
図１（イ）に示す実施形態の植物栽培システムにおいて、１は植物栽培用の第１室、２は同第２室であり、第１室１と第２室２とは、互いに隣り合うようにして間仕切り３で仕切られて備えられていると共に、これら第１室１と第２室２との両方に隣り合うように前室４が備えられ、前室４も、第１，第２の各室１，２に対して間仕切り５で仕切られて備えられている。
【００２０】
そして、第１、第２の各室１，２にはそれぞれ、植物栽培用の棚６と、該棚６で栽培される植物に光を供給するＬＥＤ等の栽培用光源７が設けられている。
【００２１】
また、第１室１と第２室２とを仕切っている間仕切り３には、第１室１の空気を第２室２に送り込む第１ファン８と、第２室２の空気を第１室１に送り込む第２ファン９とが設けられている。なお、正逆回転駆動可能なファンが用いられてもよい。
【００２２】
更に、第１、第２の各室１，２にはそれぞれ、エアコン１０が設けられている。
【００２３】
また、前室４には二酸化炭素供給源としてのボンベ１１が設けられ、二酸化炭素を、第１室１に供給したり、第２室２に供給したりすることができるようになされている。
【００２４】
そして、各室１，２の栽培用光源７の点灯消灯制御、ファン８，９の駆動制御、各室１，２のエアコン１０の運転制御、及び、二酸化炭素ボンベ１１からの二酸化炭素の供給制御を行うため、制御部１２が備えられている。
【００２５】
即ち、該制御部１２は、栽培用光源７が点灯した明期と、栽培用光源７が消灯した暗期とを、第１室１と第２室２のうちの一方の室が明期のとき、もう一方の室が暗期となるよう、各室１，２において交互に繰り返す制御を、各室１，２の光源７，７に対して行うようになされている。具体的には、例えば、図１（ロ）に示すように、明期と暗期とが１２時間おきに繰り返されるように制御される。
【００２６】
また、制御部１２は、図２（イ）に示すように、第１室１が明期、第２室２が暗期であるとき、第２室２の空気が第１室１に送り込まれ、図２（ロ）に示すように、第１室１が暗期、第２室２が明期であるとき、第１室１の空気が第２室２に送り込まれるよう、ファン８，９の駆動を制御するようになされている。この制御において、本実施形態では、前室４と第１室１とを仕切っている仕切り部に、扉のアンダーカット部などからなる通気口が設けられると共に、前室４と第２室２とを仕切っている仕切り部にも、同様に通気口が設けられ、暗期の室から明期の室へのファン８，９による空気の送込み作用によって、明期の室が正圧となるように構成されている。なお、前室４には、全熱交換器の備えられたファン付き換気口１３が備えられている。
【００２７】
更に、制御部１２は、明期の室の室温が暗期の室の室温よりも高くなるよう、第１，第２の各室１，２のエアコン１０，１０の運転を制御するようになされている。具体的には、例えば、明期の室の室温が２５°Ｃ、暗期の室の室温が１８°Ｃとなるように制御される。
【００２８】
また、制御部１２は、明期の室に対して、二酸化炭素ボンベ１１から二酸化炭素が供給され、暗期の室に対して、二酸化炭素ボンベ１１からの二酸化炭素の供給が停止状態にされるよう、二酸化炭素ボンベ１１からの二酸化炭素の供給が制御されるようになされている。
【００２９】
特に、本実施形態では、図１（イ）に示すように、第１，第２の各室１，２のそれぞれに、二酸化炭素濃度を検知するセンサー１４が備えられ、制御部１２は、明期の室における該センサー１４からの検知信号に基づいて、二酸化炭素濃度が設定濃度以下よりも低いとき、二酸化炭素ボンベ１１に、明期の室に対して二酸化炭素の供給を行わせ、二酸化炭素濃度が設定濃度以上であるとき、二酸化炭素ボンベ１１に、明期の室に対する二酸化炭素の供給を停止させる制御を行うようになされている。なお、図１（イ）における太線矢印は、管理者動線をあらわす。
【００３０】
上記のシステムでは、暗期の室の二酸化炭素濃度の高い空気が、明期の室に送り込まれるようファン８，９の駆動制御が行われる構成となっているから、暗期の室の二酸化炭素濃度の上昇が抑制されると共に、明期の室の二酸化炭素濃度の低下が抑制され、それにより、第１，第２の各室における植物の生育をいずれも良好なものにすることができる。
【００３１】
しかも、明期の室での二酸化炭素濃度の低下を、二酸化炭素濃度を上昇させようとする暗期の室の空気を明期の室に送り込むことで抑制し、この送込みによって暗期の室での二酸化炭素濃度の上昇を抑制する構成としているので、無駄のない合理的な構成によって、植物の生育を良好なものにすることができる。
【００３２】
また、暗期の室から明期の室へのファン８，９による空気の送込み作用によって、明期の室が正圧となるように構成されているので、明期の室をクリーンな状態に保ちやすくすることができる。
【００３３】
更に、ファン８，９との組み合わせによるエアコン１０，１０を用いた室温制御によって、明期の室における温度上昇と湿度低下を抑制して明期の室における植物の光合成の速度を向上することができ、また、暗期の室における湿度上昇を抑えることができる。
【００３４】
また、暗期の室の二酸化炭素濃度の高い空気が、明期の室に送り込まれるようファン８，９の駆動の制御が行われる構成となっていることとの組み合わせで、二酸化炭素ボンベ１１からの二酸化炭素の供給を少なくすることができると共に、二酸化炭素濃度センサー１４，１４を用いた二酸化炭素の供給制御によって、二酸化炭素ボンベ１１からの二酸化炭素の供給を、自動で、実際に、少なくすることができる。
【符号の説明】
【００３５】
１…第１室
２…第２室
７…栽培用光源
８，９…ファン
１０…エアコン
１１…二酸化炭素ボンベ（二酸化炭素供給源）
１２…制御部
１４…二酸化炭素センサー
【図１】
0005764272.tif 000002
【図２】
0005764272.tif 000003